(57)【特許請求の範囲】
【請求項１】
挿抜可能な２枚の接続対象物の挿入状態にて前記２枚の接続対象物の導体部に接触する第１及び第２接触部をそれぞれ先端側に設けた第１及び第２接触片、および基板に接続固定される接続部を有する複数のコンタクトと、
該複数のコンタクトを配列状態で保持するとともに、前記２枚の接続対象物及び電池が同一方向より挿入できる形状をもつ挿入口を有するハウジングと、
前記ハウジング内であって、かつ前記複数のコンタクトとは前記ハウジングの幅方向に離隔した位置に配設され、前記２枚の接続対象物のうちのいずれか一方の接続対象物の導体部、および電池に接触する第３及び第４接触部をそれぞれ先端側に設けた第３及び第４接触片を有する端子と
を備えることを特徴とするコネクタ。
【請求項２】
前記２枚の接続対象物は、前記電池側に挿入される第１接続対象物と、該第１接続対象物を挟んで前記電池とは反対側に挿入された第２接続対象物であり、
前記第１接触片の前記第１接触部が、前記第１接続対象物の前記電池側の表面に形成した導体部と接触し、前記第２接触片の前記第２接触部が、前記第２接続対象物の、前記第１接続対象物側とは反対側の表面に形成した導体部と接触することを特徴とする請求項１記載のコネクタ。
【請求項３】
前記端子は、略Ｕ字形状をもち、前記第３接触片の前記第３接触部が、前記電池と接触し、前記第４接触片の前記第４接触部が、前記第１接続対象物の、前記第２接続対象物側の表面に形成した導体部に接触することを特徴とする請求項２記載のコネクタ。
【請求項４】
前記ハウジングと、挿入された前記第１接続対象物の両面のうちの少なくとも一方の表面との間に、前記第１接続対象物の前記少なくとも一方の表面に搭載した他の部品を収容可能とする空間を設けることを特徴とする請求項２または３記載のコネクタ。
【請求項５】
前記コンタクトは、ハウジングに圧入することによって保持され、前記ハウジングに対する前記コンタクトの圧入方向を、前記接続対象物の挿入方向に対し垂直にすることを特徴とする請求項１〜４のいずれか１項記載のコネクタ。
【発明の詳細な説明】
【技術分野】
【０００１】
本発明は、電気機器や電子機器等に使用されるコネクタに関し、特に、簡単で安価な構造で、２つの接続対象物（例えば基板）間を接続し、かつ、電池とも接続し、作業性が良くなり、安定した接触（接続）信頼性が得られるコネクタに関するものである。
【背景技術】
【０００２】
一般に、２枚の基板間を接続するコネクタとしては、例えばそれぞれの基板にコネクタを実装し、これらコネクタ同士を接続（嵌合）させる形式の、いわゆる基板間接続コネクタと、一方の基板にコネクタを実装し、このコネクタにもう一方の基板（カード）を挿入（嵌合）させる形式の、いわゆるカードエッヂコネクタとがある。【０００３】
基板間接続コネクタは、一般的に、相手コネクタと接触する接触部、及び基板に実装する接続部を有し、導電材料からなる複数のコンタクトと、これら複数のコンタクトが保持・配列され、絶縁材料からなるハウジングとを備えている。両コネクタは、ハウジング同士が互いに嵌合し、かつ、互いのコンタクト同士が接触できるように構成されている。また、コネクタには、基板への保持強度を上げる為、必要に応じて固定具をさらに設ける場合がある。このような固定具を設けた基板間接続コネクタを開示した公知文献としては、例えば本出願人が既に提案した特許文献１が挙げられる。【０００４】
カードエッヂコネクタは、一般的に、少なくとも、基板（カード）と接触する接触部を有し、導電材料からなる複数のコンタクトと、これら複数のコンタクトが保持・配列され、絶縁材料からなるハウジングとを備えている。そして、ハウジングには、カードが挿入される挿入口が設けられている。また、ハウジングには、必要に応じて、カードを挿入口内に導く為のガイド機構（延設部）と、カードをロックするためのロック手段が長手ピッチ方向両端に設けられる場合がある。このような構成を有するカードエッヂコネクタを開示した公知文献として、例えば本出願人が既に提案した特許文献２が挙げられる。【０００５】
また、基板上に電池を載置して、電池を基板と接続する場合、通常は、上記に示した２枚の基板のうちのいずれか一方の基板に、電池を押圧する機構を設けた電池接続用の端子を配置し、この端子を電池に押圧接触させることによって、電池と基板との接続を行っている。例えば、基板上に電池を収容するためのケース等を配置し、そのケースと基板の端子との間に電池を挿入し、端子が電池に押圧接触することによって、電池を基板と接続する。
【先行技術文献】
【特許文献】
【０００６】
【特許文献１】特開２０１０−１９８９９６号公報
【特許文献２】特開２００７−２８７５８９号公報
【発明の概要】
【発明が解決しようとする課題】
【０００７】
しかしながら、近年、顧客からは、２枚の基板間を接続するコネクタとして、従来構造を有する基板間接続コネクタやカードエッヂコネクタではなく、簡単で安価な構造で２つの接続対象物同士を接続でき、かつ電池も接続可能な構造を有し、また、高密度が図れる構造を有し、さらには、作業性を良くする意味で、同一方向での作業（挿入方向を同一にしたい）で２枚の基板間を接続できる構造を有する新たなコネクタを開発することへの要求があった。【０００８】
本発明の目的は、このような従来の問題点に鑑みてなされたもので、簡単で安価な構造で、２つの接続対象物（例えば基板）間を接続するだけではなく、電池とも接続し、作業性が良くなり、安定した接触（接続）信頼性が得られる構造のコネクタを提供するものである。
【課題を解決するための手段】
【０００９】
上記目的を達成するため、本発明の要旨構成は以下のとおりである。
（１）挿抜可能な２枚の接続対象物の挿入状態にて前記２枚の接続対象物の導体部に接触する第１及び第２接触部をそれぞれ先端側に設けた第１及び第２接触片、および基板に接続固定される接続部を有する複数のコンタクトと、該複数のコンタクトを配列状態で保持するとともに、前記２枚の接続対象物及び電池が同一方向より挿入できる形状をもつ挿入口を有するハウジングと、前記ハウジング内であって、かつ前記複数のコンタクトとは前記ハウジングの幅方向に離隔した位置に配設され、前記２枚の接続対象物のうちのいずれか一方の接続対象物の導体部、および電池に接触する第３及び第４接触部をそれぞれ先端側に設けた第３及び第４接触片を有する端子とを備えることを特徴とするコネクタ。【００１０】
（２）前記２枚の接続対象物は、前記電池側に挿入される第１接続対象物と、該第１接続対象物を挟んで前記電池とは反対側に挿入された第２接続対象物であり、
前記第１接触片の前記第１接触部が、前記第１接続対象物の前記電池側の表面に形成した導体部と接触し、前記第２接触片の前記第２接触部が、前記第２接続対象物の、前記第１接続対象物側とは反対側の表面に形成した導体部と接触することを特徴とする上記（１）記載のコネクタ。【００１１】
（３）前記端子は、略Ｕ字形状をもち、前記第３接触片の前記第３接触部が、前記電池と接触し、前記第４接触片の前記第４接触部が、前記第１接続対象物の、前記第２接続対象物側の表面に形成した導体部に接触することを特徴とする上記（２）記載のコネクタ。【００１２】
（４）前記ハウジングと、挿入された前記第１接続対象物の両面のうちの少なくとも一方の表面との間に、前記第１接続対象物の前記少なくとも一方の表面に搭載した他の部品を収容可能とする空間を設けることを特徴とする上記（２）または（３）記載のコネクタ。【００１３】
（５）前記コンタクトは、ハウジングに圧入することによって保持され、前記ハウジングに対する前記コンタクトの圧入方向を、前記接続対象物の挿入方向に対し垂直にすることを特徴とする上記（１）〜（４）のいずれか１項記載のコネクタ。
【発明の効果】
【００１４】
本発明のコネクタによれば、簡単で安価な構造で、２つの接続対象物間を接続し、かつ、電池とも接続し、しかも、２枚の接続対象物及び電池が同一方向から挿入できる為、作業性が良くなり、安定した接触（接続）信頼性が得られる。また、上記（５）に記載したような構造にすることで、接続対象物の挿入に対して、コンタクトの抜け止めに繋がる。
【図面の簡単な説明】
【００１５】
【図１】（Ａ）本発明のコネクタを、挿入口側から見たときの斜視図である。（Ｂ）本発明のコネクタを、１本のコンタクトの幅中心線を通る位置で切断したときの断面図である。（Ｃ）本発明のコネクタを、１本の端子の幅中心線を通る位置で切断したときの断面図である。
【図２】（Ａ）２枚の接続対象物（第１及び第２基板）及び電池が挿入された状態の本発明のコネクタを、挿入口側から見たときの斜視図である。（Ｂ）図２（Ａ）の状態のコネクタを、１本のコンタクトの幅中心線を通る位置で切断したときの断面図である。（Ｃ）図２（Ａ）の状態のコネクタを、１本の端子の幅中心線を通る位置で切断したときの断面図である。（電池は断面ではなく、外観図として示す。）
【図３】（Ａ）ハウジングを、挿入口側より見た斜視図である。（Ｂ）ハウジングを、１つのコンタクト挿入孔の位置で切断したときの断面図である。（Ｃ）ハウジングを、１つの端子挿入穴の位置で切断したときの断面図である。
【図４】（Ａ）コンタクトを、第１及び第２接触部側から見たときの斜視図である。（Ｂ）コンタクトを、第１及び第２接触部側とは反対側から見たときの斜視図である。
【図５】（Ａ）端子を、第３及び第４接触部側から見たときの斜視図である。（Ｂ）端子を、第３及び第４接触部側とは反対側から見たときの斜視図である。
【図６】（Ａ）第１接続対象物（第１基板）を、電池側の表面（上面）から見たときの斜視図である。（Ｂ）第１接続対象物（第１基板）を、電池側とは反対側の表面（下面）から見たときの斜視図である。
【図７】（Ａ）第２接続対象物（第２基板）を、電池側の表面（上面）から見たときの斜視図である。（Ｂ）第２接続対象物（第２基板）を、電池側とは反対側の表面（下面）から見たときの斜視図である。
【図８】電池の斜視図である。
【発明を実施するための形態】
【００１６】
本発明は、挿抜可能な２枚の接続対象物である第１及び第２接続対象物３０、３２の挿入状態にて、２枚の接続対象物３０、３２の導体部３０１、３２１に接触する第１及び第２接触部２２２、２２４をそれぞれ先端側に設けた第１及び第２接触片２２１、２２３および基板（図示せず）に接続固定される接続部２２６を有する複数のコンタクト２２と、複数のコンタクト２２を配列状態で保持するとともに、２枚の接続対象物３０、３２及び電池３４が、それぞれ同一方向より挿入できる形状をもつ挿入口、図１では、第１挿入口１５、第２挿入口１６および第３挿入口１７の３つの挿入口を有するハウジング２４と、このハウジング２４内であって、かつ複数のコンタクト２２とはハウジング２４の幅方向Ｗに離隔した位置に配設され、２枚の接続対象物３０、３２のうちのいずれか一方の接続対象物３０又は３２の導体部３０１又は３２１、および電池３４に接触する第４及び第３接触部２６４、２６２をそれぞれ先端側に設けた第４及び第３接触片２６３、２６１を有する端子２６とを備えることを特徴とするコネクタ２０である。
【００１７】
つまり、第１接続対象物３０、第２接続対象物３２及び電池３４を、ともに同一方向、図１ではハウジング２４の奥行方向Ｄに沿って挿入できる３つの挿入口（第１挿入口１５、第２挿入口１６、第３挿入口１７）をハウジング２４に設け、ハウジング２４に保持されるコンタクト２２が、挿入された第１及び第２接続対象物３０、３２と接触し、ハウジング２４に保持される端子２６が、電池３４と、電池３４が接続される第１又は第２接続対象物３０又は３２に接触するように構成し、簡単で安価な構造で、第１及び第２接続対象物３０、３２（例えば第１及び第２基板３０、３２）間を接続し、かつ、第１及び第２接続対象物３０、３２のいずれか一方と電池３４も接続することができ、作業性が良くなり、安定した接触（接続）信頼性が得られる構造のコネクタ２０である。
【００１８】
図１から図８に基づいて、本発明のコネクタ１０の実施形態について説明する。図１（Ａ）は、本発明のコネクタを、挿入口側から見たときの斜視図、図１（Ｂ）は、本発明のコネクタを、１本のコンタクトの幅中心線を通る位置で切断したときの断面図、図１（Ｃ）は、本発明のコネクタを、１本の端子の幅中心線を通る位置で切断したときの断面図、図２（Ａ）は、２枚の接続対象物（第１及び第２基板）及び電池が挿入された状態の本発明のコネクタを、挿入口側から見たときの斜視図、図２（Ｂ）は、図２（Ａ）の状態のコネクタを、１本のコンタクトの幅中心線を通る位置で切断したときの断面図、図２（Ｃ）は、図２（Ａ）の状態のコネクタを、１本の端子の幅中心線を通る位置で切断したときの断面図、図３（Ａ）は、ハウジングを、挿入口側より見た斜視図、図３（Ｂ）は、ハウジングを、１つのコンタクト挿入孔の位置で切断したときの断面図、図３（Ｃ）は、ハウジングを、１つの端子挿入穴の位置で切断したときの断面図、図４（Ａ）は、コンタクトを、第１及び第２接触部側から見たときの斜視図、図４（Ｂ）は、コンタクトを、第１及び第２接触部側とは反対側から見たときの斜視図、図５（Ａ）は、端子を、第３及び第４接触部側から見たときの斜視図、図５（Ｂ）は、端子を、第３及び第４接触部側とは反対側から見たときの斜視図、図６（Ａ）は、第１接続対象物（第１基板）を、電池側の表面（上面）から見たときの斜視図、図６（Ｂ）は、第１接続対象物（第１基板）を、電池側とは反対側の表面（下面）から見たときの斜視図、図７（Ａ）は、第２接続対象物（第２基板）を、電池側の表面（上面）から見たときの斜視図、図７（Ｂ）は、第２接続対象物（第２基板）を、電池側とは反対側の表面（下面）から見たときの斜視図、そして、図８は、電池の斜視図である。
【００１９】
コネクタ２０を説明する前に、２枚の接続対象物である第１及び第２接続対象物３０、３２と、電池３４について説明する。第１及び第２接続対象物３０、３２としては、例えばプリント基板のような第１及び第２基板３０、３２である場合が挙げられ、また、第１及び第２基板３０、３２としては、例えば、リジッド基板、フレキシブルプリント基板（ＦＰＣ）、メモリーカードのような各種カード（基板）等を挙げることができる。本実施形態では、第１及び第２接続対象物３０、３２は、それぞれリジッド基板である第１基板３０及び第２基板３２であり、第１及び第２基板３０、３２には、コネクタ２０のコンタクト２２が実装される導体部であるランド３０１、３２１と、ランド３０１、３２１から延び、電子部品等に繋がるパターンとが設けられている。第１基板３０には、更に、電池３４との接触部分である接点部３０２と、端子２６との接続部分であるランド３０１とが設けられている。電池３４は、第１基板３０と接触させて導通させ、電源として使用する為のものである。
【００２０】
図１から図５に基づいて、本発明のコネクタ２０について説明する。コネクタ２０は、複数のコンタクト２２と、ハウジング２４と、端子２６とを主に備えている。また、コネクタ２０は、コネクタ２０を基板（図示せず）に実装したときのはんだ付け強度を向上させるため、固定具（図示せず）をさらに備えることもできる。
【００２１】
次に、コンタクト２２について説明する。コンタクト２２は金属製であり、公知技術のプレス加工や切削加工によって製作することができる。コンタクト２２の材質としては、バネ性や導電性や寸法安定性などが要求されるので、黄銅やベリリウム銅やリン青銅等を挙げることができる。本実施形態では、コンタクト２２は、ハウジング２４に圧入によって保持しているが、本発明では、コンタクト２２をハウジング２４に保持または固定できる構成であればよく、引っ掛け（ランス）や溶着や一体成形などによってコンタクト２２をハウジング２４に保持する構成にしてもよい。
【００２２】
コンタクト２２は、挿抜可能な第１及び第２の接続対象物３０、３２の挿入状態にて、これら第１及び第２接続対象物３０、３２の導体部であるランド３０１、３２１に接触する第１及び第２接触部２２２、２２４をそれぞれ先端側に設け、図１（Ｂ）では、上下に略並行に延びる第１及び第２接触片２２１、２２３と、基板に接続固定される接続部２２６とを少なくとも有するとともに、ハウジング２４に固定するため、ハウジング２４の略高さ方向Ｈに延在する保持部２２５と、ハウジング２４の略奥行方向Ｄに延びる板状片２２７とをさらに有している。
【００２３】
コンタクト２２は、第１接触片２２１と第２接触片２２３がハウジング２４の第１及び第２挿入口１５、１６側に向かってそれぞれ上下に並行に延在する状態でハウジング２４に保持されている。第１接触片２２１と第２接触片２２３の先端には、それぞれ第１接触部２２２と第２接触部２２４が設けられている。第１接触部２２２と第２接触部２２４は、それぞれ第１基板３０と第２基板３２とに接触するコンタクト２２の部分であり、接触し易いように凸形状にしている。第１接触部２２２と第２接触部２２４の形状・大きさは、相手物（第１及び第２接続対象物３０、３２）の形状、接触安定性やコネクタの小型化や強度や加工性等を考慮して、適宜設定することができる。図２に示す実施形態では、第１接続対象物である第１基板３０が、電池３４側に挿入され、第２接続対象物である第２基板３２が、第１基板３０を挟んで電池３４とは反対側に挿入され、コンタクト２２の第１接触片２２１の第１接触部２２２が、第１基板３０の電池３４側の表面（上面）に形成したランド３０１と接触し、第２接触片２２３の第２接触部２２４が、第２基板３２の、第１基板３０側とは反対側の表面（下面）に形成したランド３２１と接触する構成を示したものであるが、他の構成を採用してもよい。
【００２４】
また、コンタクト２２の接続部２２６は、基板（図示せず）と接続する部分である。コンタクト２２の接続部２２６を基板と接続する方法としては、特に限定はしないが、例えば半田付け（表面実装やディップ）やプレスフィットなどを挙げることができる。なお、本実施形態では、コンタクト２２として、表面実装タイプのコンタクトを用い、このコンタクトを半田付けにより実装する場合の構成を示している。なお、コンタクト２２の接続部２２６の形状・大きさは、実装密度や実装強度や加工性等を考慮して適宜決定することができる。
【００２５】
コンタクト２２の保持部２２５は、ハウジング２４に固定出来れば如何なる構成でもよく、コンタクト２２をハウジング２４に保持する方法としては、例えば圧入や引っ掛け（ランス）や溶着や一体成形等を挙げることができる。コンタクト２２は、本実施形態では、ハウジング２４に圧入することにより保持・固定され、ハウジングに対するコンタクトの圧入方向を、接続対象物の挿入方向に対し垂直にした場合を示している。この構成にして、接続対象物の挿入に対して、コンタクトがハウジング２４から外れにくくなる。また、本実施形態では、幅方向一方側に突出させた矢尻部を設けて、前記ハウジング２４に圧入している。保持部２２５の形状・大きさは、保持力や加工性や強度等を考慮して適宜設計する。
【００２６】
前記板状片２２７は、保持部２２５に対してほぼ垂直方向であって、かつ挿入口１５〜１７がある方向に向かって突出しており、第１基板３０を、コンタクト２２の板状片２２７と第１接触部２２２とで挟持するとともに、第２基板３２を、コンタクトの板状片２２７と第２接触部２２４とで挟持することで、コンタクト２２と第１及び第２基板３０、３２との安定した接続を得られるようにしたものである。また、板状片２２７は、コンタクト２２の位置決め的な役割も果たしている。前記板状片２２７の形状および大きさは、上記役割や接続安定性や強度や加工性等を考慮して適宜設計する。
【００２７】
次に、ハウジング２４について説明する。このハウジング２４は電気絶縁性のプラスチックであり、公知技術の射出成形や切削によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。本実施形態では射出成形によって製作されている場合を示している。
【００２８】
ハウジング２４は略箱型形状を有している。ハウジング２４には、２枚の接続対象物である、第１基板３０および第２基板３２と電池３４とがそれぞれ挿入される３つの挿入口である、第１挿入口１５、第２挿入口１６および第３挿入口１７が設けられている。３つの挿入口である、第１挿入口１５、第２挿入口１６および第３挿入口１７の形状および大きさは、２枚の接続対象物である、第１基板３０および第２基板３２と電池３４とが挿入できればよく、２枚の接続対象物である、第１基板３０および第２基板３２や電池３４の形状および大きさ、強度や加工性等を考慮して適宜設計する。本実施形態においては、第１挿入口１５には第１基板３０が挿入され、第２挿入口１６には第２基板３２が挿入され、第３挿入口１７には電池３４が挿入される。第１及び第２挿入口１５、１６内には、コンタクト２２の第１及び第２接触部２２２、２２４が突出するようになっており、本実施形態では、コンタクト２２の第１接触部２２２と、挿入された第１基板３０の、電池３４側の表面（上面）に形成した導体部であるランド３０１とが接触し、コンタクト２２の第２接触部２２４と、挿入された第２基板３２の、第１基板３０側とは反対側の表面（下面）に形成した導体部であるランド３２１とが接触する。本実施形態では、コンタクト２２と第１及び第２基板３０、３２との接触構造を、第１基板３０の上面及び第２基板３２の下面にコンタクト２２が接触する場合を示したが、コンタクト２２が、第１基板３０の下面と第２基板３２の下面に接触する構成、第１基板３０の上面と第２基板３２の上面に接触する構成、あるいは、第１基板３０の下面と第２基板３２の上面に接触する構成を採用することも可能である。
【００２９】
本実施形態では、ハウジング２４の、ハウジングの幅方向（長手ピッチ方向）Ｗの中心位置で区画したときのいずれかの半部領域（図１では右側に位置する半部領域）に、複数のコンタクト２２が保持・配列される第１挿入穴２４１が、第１及び第２基板３０、３２の挿入方向に対し垂直な方向（図３（Ｂ）では、ハウジングの高さ方向Ｈ）に設けられている。コンタクト２２は、圧入や引っ掛け（ランス）や溶着や一体成形等によって第１挿入穴２４１に固定（保持）されている。本実施形態では、コンタクト２２は圧入によって固定されている。第１挿入穴２４１の形状・大きさは、コンタクト２２が保持できれば如何なるものでもよく、保持力や強度や加工性や小型化等を考慮して適宜設定することができる。
【００３０】
ハウジング２４には、第１及び第２基板３０、３２の挿入される方向と平行にコンタクト２２の板状片２２７が入る第２挿入穴２４２が設けられている。第２挿入穴２４２は、コンタクトの位置決め的な役割を果たしている。前記第２挿入穴２４２の形状・大きさは、コンタクト２２の板状片２２７が入れば良く、上記役割や安定した接続性や加工性や強度等を考慮して適宜設計する。
【００３１】
ハウジング２４には、挿入された第１基板３０の両面のうちの少なくとも一方の表面との間（図２（Ａ）では、挿入された第１基板３０の両面との間）に、第１基板３０の少なくとも一方の表面（図２（Ａ）では、挿入された第１基板３０の両面）に搭載した他の部品を収容可能とする空間２４３が設けられている。空間２４３は、図２に示すように、コンタクト２２及び端子２６並びに電池３４が位置するハウジングの空間領域以外の空間領域に形成されている。ハウジング２４内に空間２４３を設けることは、第１基板３０の少なくとも一方の表面に、他の部品を搭載することができる点で好ましい。空間２４３の形状・大きさは、コネクタ２０の大きさ（小型化）、第１基板３０及び第２基板３２の搭載面積、ハウジング２４の強度及び加工性や搭載する部品の大きさ・形状等を考慮して適宜設定することができる。
【００３２】
次に、端子２６について説明する。端子２６は金属製であり、公知技術のプレス加工や切削加工によって製作することができる。端子２６の材質としては、バネ性や導電性や寸法安定性などが要求されるので、黄銅やベリリウム銅やリン青銅等を挙げることができる。本実施形態では、端子２６はハウジング２４との一体成形によって固定する場合を示しているが、固定できれば如何なる方法で固定してもよく、例えば圧入や引っ掛け（ランス）や溶着などが挙げられる。
【００３３】
端子２６は、少なくとも電池３４、および電池３４と接続する基板（本実施形態では第１基板３０）にそれぞれ接触する接触部である、第３接触部２６２および第４接触部２６４をそれぞれ先端側に有し、上下に並行に突出した接触片である、第３接触片２６１および第４接触片２６３と、２つの接触片２６１および２６３を連結する連結部２６５とを有し、さらに、本実施形態では電池３４を押圧する押圧部２６７を含む押圧片２６６を有している。
【００３４】
端子２６の第３接触片２６１、第４接触片２６３及び押圧片２６６は、本実施形態では切り曲げ（または切り起こし）によって、接触する部分に向かって突出するようにして形成されている。
【００３５】
第３接触部２６２は、電池３４に接触する部分であり、第４接触部２６４は電池３４が接続される第１基板３０のランド３０１に接触する部分であり、接触し易いように湾曲形状にしている。第３接触部２６２と第４接触部２６４の形状・大きさは、相手物（第１及び第２接続対象物３０、３２）の形状、接触安定性やコネクタの小型化や強度や加工性等を考慮して適宜設定することができる。本実施形態では、第３接触部２６２が電池３４の上面に接触し、第４接触部２６４が第１基板３０の下面に接触する構造を採用したが、仕様や必要に応じて、第４接続部２６４が第１基板３０の上面に接触する構造を採用してもよい。
【００３６】
端子２６の押圧部２６７は、電池３４を第１基板３０側に押圧する部分であり、押圧し易いように湾曲形状をしている。押圧部２６７で電池３４を押圧することにより、電池３４と第１基板３０との接続をより確実にしている。押圧部２６７の形状・大きさは、電池３４の形状、接触安定性、コネクタの小型化、強度、加工性等を考慮して適宜設定することができる。
【産業上の利用可能性】
【００３７】
本発明によれば、簡単で安価な構造で、２つの接続対象物間だけの接続ではなく、電池とも接続することができ、作業性が良好であり、安定した接触（接続）信頼性が得られる、電気機器や電子機器等に使用されるコネクタを提供することができる。
【符号の説明】
【００３８】
１５        第１挿入口
１６        第２挿入口
１７        第３挿入口
２０        コネクタ
２２        コンタクト
２２１      第１接触片
２２２      第１接触部
２２３      第２接触片
２２４      第２接触部
２２５      保持部
２２６      接続部
２２７      板状片
２４        ハウジング
２４１      第１挿入穴
２４２      第２挿入穴
２４３      空間
２６        端子
２６１      第３接触片
２６２      第３接触部
２６３      第４接触片
２６４      第４接触部
２６５      連結部
２６６      押圧片
２６７      押圧部
３０        第１接続対象物又は第１基板
３０１      導体部又はランド
３０２      接点
３２        第２接続対象物又は第２基板
３２１      導体部又はランド
３４        電池
Ｗ          ハウジングの幅方向（長手ピッチ方向）
Ｄ          ハウジングの奥行方向
Ｈ          ハウジングの高さ方向
【図１】
0006604968.tif 000002
【図２】
0006604968.tif 000003
【図３】
0006604968.tif 000004
【図４】
0006604968.tif 000005
【図５】
0006604968.tif 000006
【図６】
0006604968.tif 000007
【図７】
0006604968.tif 000008
【図８】
0006604968.tif 000009